(57)【要約】      （修正有）【課題】色々商売をしたいが、資金、ノウハウ不足などのため、商売ができない人々のために、本当に商売をするにあたっての実績を蓄積する、又、本当に商売をする人々のための委託販売システムを提供する。【解決手段】本部が直営店、加盟店の店舗内部に吊具付設置棚を設け、これを区画し、ここに出品主会員が出品、広告し、これを直営店、加盟店の従業員が委託販売、又、店舗内でオークションをし、同時にインターネットでも委託販売する。【選択図】図１
2004326717.tif 000002
【特許請求の範囲】
【請求項１】
【イ】本部が直営店、加盟店、出品主会員、顧客会員を設ける。
【ロ】本部は直営店、加盟店の店舗内に吊具付き設置棚を多数設け、これを多数区画し、多数の出品主会員に提供する。
【ハ】上記の区画部に出店主会員が商品、その他を陳列又は展示し、これを顧客会員又は顧客購入する。
【ニ】上記の売却を直営店、加盟店の従業員が委託販売する。
【ホ】直営店、加盟店内に於いて顧客にオークションを行い、出品主会員もここに参加することが出来るようにし、同時にインターネットにも配信する。
【ヘ】本部が上記を全てパソコンで販売、管理し、委託販売を通し情報発信し、それを顧客が選択する。
以上の如く構成された組み立て吊具付設置棚の区画を出品主に提供し、そこに出品されたものを委託販売するシステムである。
【０００１】
【従来の技術】
従来は商店が商品販売を自営する中に於いて、一部を出品主の個人から個々に預かり委託販売しているのである。
【０００２】
【発明が解決しようとする課題】
したがって今までのような商店が個人から個々にひとつひとつのわずかな商品を預かる委託販売ではなく、特に大都会や都会では商売したいが資金が少ない、又、最初から独立するのが難しい、又、店舗を構えるほどのノウハウがないとか、現在勤務しているのでその勤めを退社してまで危険を冒すことは出来ないとか、その他、田舎から出品したいがそれが現実として費用、人材不足で出来ない等、色々商売をしたいが出来ない人々が非常に多いのである。
そのような本当に商売をするにあたっての実績を蓄積する、又、商売をする人々のために提供されるのが本発明のシステムなのである。
【０００３】
【発明の詳細な説明】
そこで本部が大都会、都会の一等地のオフイスピルや店舗を１００坪とか２００坪とか３００坪とか４００坪とか５００坪とか賃貸し、直営店とし、この店舗内に
【図１】の設置棚の右斜視図に示すように高さ約２メートル３０センチ、幅９０センチ程にし、出来る限り多く配列するのである。
奥行きも４０センチ、４５センチとする。
上記の高さ、幅、奥行きは色々と寸法を変えてもよいのである。例えば、２００坪程の店舗内に設置棚の幅９０センチ、奥行き４５センチを列に設置すると、約７００の区画が提供可能となるのである。上下の２段で２区画となる、
【符号】の１である。
奥行きも４５センチ程あるので、例えば、高さが２メートル３０センチとすると吊具にハンガーで吊ると上に上着、下にズボンやロングスカートも十分吊れるのである。又、吊る物がないときは棚を５段でも７段でも出品主が自由に設置することが出来るので、折りたたんで陳列すると多数陳列可能になるのである。一列で不足の場合は、隣りを提供されればよいし、次々と配列棚に広げることも可能なのである。小物から大きい物までも陳列可能なのである。背面１０を利用すると、大きな写真や垂れ幕なども可能となるのである。
又、
【図８】の１１の棚載せ金具を利用し、棚を取り外してパイプ棒や、角パイプ、長方形パイプ等を載せ、吊りのようにすることにより、これを多段にすると下着、靴下、その他が多数陳列可能になるのである。又、設置棚も
【図１】のような背面１０があるものもあれば、
【図７】のように丸パイプや
【図８】のようなアングルのようなもの、壁に設置するようなものと色々あるのである。
【０００４】
【発明の効果】
したがって本部が１００坪、２００坪、３００坪、４００坪、５００坪と色々のオフィスビルや店舗等を賃借し、その内部に吊り具可能な設置棚を多数配列し設けることにより、出品主会員が１００坪でも約３００区画、３００坪で１０００以上の区画が可能となり、そこに多種多様の出品、情報発信ものの陳列が達成可能となるのである。又、この店舗内でオークションも開催され、同時にインターネットにも配信可能にするので、顧客会員が自分の好きなものが選択でき、購入することが店でもインターネットでも可能になるのである。
今まで色々の事情があって、商売の経験、又は本当に商売できなかった人々にとって、本当に出品を可能にするのもである。例えば、商売したいが資金が少なく出来ない、ノウハウに自信がない、田舎で米、野菜、果物を作っていたり造作しているが直売するのが難しい、又、これらの体験ツアーを開催したいがこれも難しい、又、ローカルで商店を経営しているがほとんど利益が出ない、都会でも商店を経営しているが場所がよくない、又、現在勤務しているが会社に不安があり、何か自分にあった商売をしたいが本格的に退社してまで、又かなりの資金を必要とする危険を冒してまでも経営する勇気と自信がない、又、２０歳代で結婚はしたいが子供の育児の毎日では充実感がない、何か自分のやりたいことを実行したい若妻が今、増加している。又、３０歳代でも、特に大都会の東京では、女性の３分の１、３人に１人が現在独身者である。その原因は結婚により、自分の可能性が育児や家事などでかなり拘束されるので、その結果、結婚をためらっている人が増え、晩婚化に拍車がかかっているのである。
又、２００５年から、家庭でも夫が勤め、妻が家庭を守っていると、配偶者特別控除により収入からカットされたものが免除されなくなるので、今でも不況やリストラで家計が苦しいときに追い討ちなのである。急に職を探すといってもこんな時代に就職先も易々とあるものではないのである。
この発明システムは、上記の人々の自分の可能性への追求や家庭のやりくり、広告での体験ツアー等での消費者と生産者の出会いを通じ、情報発信、情報交換や交歓を少ない資金で、よい場所で、しかもオークションを店やインターネットでも可能ならしめるのである。
何百人、何千人の出品主会員が一店舗内に出品し、広告を陳列し、みんなの力を結集し、それを直営店、加盟店が委託販売をするシステムであり、そこに存在意義があるのである。
取り扱う出品主の商品、その他は多岐にわたるので、顧客は子供から老人までが店に行って購入したり、体験ツアーに参加可能となるのである。
出品主会員は、色々のことに出品可能になるのである。例えば、最近脚光を浴びている教習や体験ツアーを日帰りや１泊２日で開催できるのである。その方法は、棚の区画部に一見するとすぐわかるように実態の写真や垂れ幕などで表示し、その下部にその実態、例えば農家の米の耕作ツアーであれば、米を出品、又、陶器作りツアーであれば、下部に陶器を出品、又、魚や昆布ツアーであれば、昆布や加工した物を出品するのである。情報発信元にするのである。
このことにより、ツアー参加者が安心して購入する事が出来、又、参加する事により、その体験での苦労や楽しさ、それを通じての人と人とのつながり、思いやり、共同性などが自然と身に付き、人生観をも変化させるのである。顧客と出品主が身近に接する事により、手に手をふれることにより、今、日本人が忘れがちな思いやりが自然と身に付き、参加者の家族と出品主の家族、又その地域が親しくなり、付き合いも可能になるのである。
【図面の簡単な説明】
【図１】店舗内での吊具付設置棚の右斜視図
【図２】〃      〃      〃  平面図
【図３】〃      〃      〃  底面図
【図４】〃      〃      〃  右側面図
【図５】〃      〃      〃  左側面図
【図６】〃      〃      〃  背面図
【図７】パイプ設置棚
【図８】アングル設置棚
【符号】
１    出品区画部                ７    レジ
２    中棚板                    ８    パソコン
３    上棚板                    ９    内粋
４    下棚板                    １０  背面板
５    外粋                      １１  棚載せ金具
６    受付カウンター            １２  支柱
【図１】
2004326717.tif 000003
【図２】
2004326717.tif 000004
【図３】
2004326717.tif 000005
【図４】
2004326717.tif 000006
【図５】
2004326717.tif 000007
【図６】
2004326717.tif 000008
【図７】
2004326717.tif 000009
【図８】
2004326717.tif 000010